(57)【特許請求の範囲】
【請求項１】
プラスチック製のケース(1)に、繰り返し充電できる二次電池(5)と、この二次電池(5)から電力が供給されて回転されるモーター(6)と、モーター(6)の回転で刃を駆動する駆動機構(7)とが内蔵されており、
ケース(1)は、ケース(1)の一端側に駆動機構(7)を内蔵し、ケース(1)の他端側にプラグを連結するプラグ連結部(8)を設けており、
前記のケース(1)は、プラスチックの成形品である二つのケースユニット(1A)、(1B)からなり、一方のケースユニット(1A)の周壁には係止爪(2)が一体的に成形されており、他方のケースユニット(1B)には係止爪(2)を引っかけて連結する係止部(3)が成形されており、係止爪(2)を係止部(3)に引っかけて二つのケースユニット(1A)、(1B)が連結され、かつ、二つのケースユニット(1A)、(1B)が止ネジ(4)を介して連結されている電気かみそりにおいて、
係止爪(2)と係止部(3)とがケースユニット(1A)、(1B)の１カ所に特定して成形されると共に、
係止爪(2)と係止部(3)とが、ケース(1)の一端と他端間の中間より、他端側に、設けられてなることを特徴とする電気かみそり。
【発明の詳細な説明】
【０００１】
【産業上の利用分野】
本発明はプラスチック製のケースを有する電気かみそりに関する。
【０００２】
【従来の技術】
電気かみそりは、プラスチックの成形品である二つのケースユニットを連結してケースを組み立てている。二つのケースユニットを頑丈に定位置に連結するために、係止爪と止ネジの両方で強固に連結している。係止爪と止ネジの両方でケースユニットを連結する電気かみそりは、たとえば、特開平２−５２６９３号公報に記載されている。この公報の電気かみそりは、図１に示すように、一方のケースユニット１Ａの四隅部分に係止爪２を一体的に成形し、この係止爪２を引っかけられる係止部を他方のケースユニット（図示せず）に成形している。二つのケースユニットは、４つの係止爪２を係止すると共に、３本の止ネジ４をねじ込んで連結している。
【０００３】
【発明が解決しようとする課題】
図１に示す電気かみそりは、二つのケースユニットを頑丈に連結できる。しかしながら、ケースユニットを簡単に開くことができない欠点がある。それは、３本の止ネジ４を外してもケースユニットが４つの係止爪２で強固に連結されているからである。とくに、４隅に設けた係止爪２は、先端をフック状に形成して、これを他方のケースユニットの係止部である凹部に嵌入して連結するので、４個の全ての係止爪を係止部から外すのが簡単でない。ケースユニットを横に強く押圧して、片側の係止爪を係止部から外すことはできる。しかしなから、この方向にケースユニットを押圧すると、他の一方の係止爪２が係止部に強く係止されて外れ難くなる。このため、４個の係止爪を係止部から外すためには、ケースユニットを相当に強い力で引っ張る必要があり、ケースユニットを開くときに、係止爪が破損することもある。
【０００４】
二次電池を内蔵する電気かみそりは、廃棄するときに二次電池を除去することが大切である。それは、ニッケル−カドミウム電池等の二次電池は、カドミウム等の廃棄公害の原因となる物質を含有しているので、これを廃棄する電気かみそりから除去するためである。
【０００５】
図１に示すように、４個の係止爪２と係止部とで強固に連結されるケース１は、簡単にケース１を開くことができず、二次電池の取り出しに著しく手間がかかっている。このことは、有害な二次電池を完全に除去して電気かみそりを廃棄することの弊害となる。とくに、電気かみそりを廃棄するのは、電気店等の専門業者のみでない。廃棄する全ての電気かみそりが電気店に持ち込まれることがないからである。二次電池を除去して、電気かみそりを害のない状態で廃棄するために、ケース１を簡単に開けるようにすることが極めて大切である。
【０００６】
このことを実現するために、係止爪と係止部を省略して、止ネジのみで二つのケースユニットを連結すればよい。しかしながら、係止爪と係止部とを省略すると、二つのケースユニットを頑丈に連結することが難しくなる。とくに、電気かみそりは内刃を往復運動させるので、使用するときに相当に振動する。振動する電気かみそりは、ケースユニットを確実に連結していないと、連結部分がずれてしまう弊害がある。したがって、係止爪と係止部の連結構造を省略することができない。
【０００７】
本発明は、二次電池を簡単に除去できる構造として、ケースを頑丈に連結できる電気かみそりを提供することを目的に開発されたものである。
【０００８】
【課題を解決するための手段】
本発明の電気かみそりは、前述の目的を達成するために下記の構成を備える。電気かみそりは、プラスチック製のケース１に、繰り返し充電できる二次電池５と、この二次電池５から電力が供給されて回転されるモーター６と、モーター６の回転で刃を駆動する駆動機構７とを内蔵している。
【０００９】
ケース１は、プラスチックの成形品である二つのケースユニット１Ａ、１Ｂからなっている。一方のケースユニット１Ａの周壁には係止爪２を一体的に成形している。他方のケースユニット１Ｂには係止爪２を引っかけて連結する係止部３を成形している。係止爪２を係止部３に引っかけて、二つのケースユニット１Ａ、１Ｂを連結している。さらに、二つのケースユニット１Ａ、１Ｂは、止ネジ４を介して確実に連結されている。
【００１０】
さらに、本発明の電気かみそりにおいて、ケース１は、ケース1の一端側に駆動機構7を内蔵し、ケース1の他端側に、プラグを連結するプラグ連結部8を設けている。そして、係止爪２と係止部３とをケースユニット１Ａ、１Ｂの１カ所に特定して成形すると共に、係止爪２と係止部３とがケース1の一端と他端間の中間より、他端側に、設けられている。
【００１１】
【作用】
本発明の電気かみそりは、係止爪２をプラグ連結部８の周辺の１ヶ所にのみ設けている。二つのケースユニット１Ａ、１Ｂは、プラグ連結部８の近傍の１ヶ所に設けられた係止爪２と係止部３とで連結されて、さらに止ネジ４で連結されている。この構造のケース１は、止ネジ４と、係止爪２および係止部３を介して位置ずれしないように、頑丈に連結される。係止爪２と係止部３で、振動するケースユニット１Ａ、１Ｂの位置ずれを防止して、止ネジ４で確実に固定するからである。
【００１２】
ケース１を開くときは止ネジ４を外す。止ネジ４が除去されると、ケースユニット１Ａと１Ｂは１ヶ所で係止爪２と係止部３により連結されることになる。１ヶ所のみ連結されるケースユニット１Ａ、１Ｂは、係止爪２と係止部３に連結されない側を開くことができるので、簡単かつ容易に、誰もが手軽に分離してケースを開くことができる。このため、電気かみそりを廃棄するときには、止ネジ４を外してケース１を簡単に開き、内蔵される二次電池５を除去して廃棄処理できる特長がある。
【００１３】
さらに、本発明の電気かみそりは、ケースユニット１Ａ、１Ｂを連結する係止爪２と係止部３を、ケース周壁のプラグ連結部８の近傍に配設している。プラグ連結部８は、内蔵する二次電池５を充電するときにプラグを脱着する部分である。プラグを脱着するとき、ケース１のこの部分にはプラグの脱着力が作用する。即ち、プラグを脱着するときは、プラグと電気かみそりとを手にとって、プラグをねじ込むようにして左右に振りながら差し込んだり、抜き出したりする。このとき、ケースユニット１Ａ、１Ｂ間が互いに開く方向に力が加わる。本発明の電気かみそりは、プラグの脱着力が作用する部分を、係止爪２と係止部３とで連結している。このため、プラグ脱着部分の連結強度を、係止爪２と係止部３とで強く補強できる。
【００１４】
【実施例】
以下、本発明の実施例を図面に基づいて説明する。ただし、以下に示す実施例は、本発明の技術思想を具体化するための電気かみそりを例示するものであって、本発明は電気かみそりを下記のものに特定しない。
【００１５】
さらに、この明細書は、特許請求の範囲を理解し易いように、実施例に示される部材に対応する番号を、「特許請求の範囲の欄」、「作用の欄」、および「課題を解決するための手段の欄」に示される部材に付記している。ただ、特許請求の範囲に示される部材を、実施例の部材に特定するものでは決してない。
【００１６】
図２の分解斜視図に示す電気かみそりは、プラスチック製のケース１と、このケース１に内蔵される二次電池５と、二次電池５から電力が供給されて回転するモーター６と、モーター６の回転を往復運動に変換して内刃（図示せず）を駆動する駆動機構７とを備える。
【００１７】
ケース１は、プラスチックの成形品である二つのケースユニット１Ａ、１Ｂで構成されている。図において下方に位置する下ケースユニット１Ａは、周壁１ａから突出して凸条１ｂを成形している。凸条１ｂは、周壁１ａの内側に沿って成形されて、上ケースユニット１Ｂの周壁１ａの内側に嵌入される形状に成形されている。凸条１ｂを有する下ケースユニット１Ａの周壁１ａには、上ケースユニット１Ｂの周壁１ａを嵌入する段差部１ｃが設けられている。上ケースユニット１Ｂの周壁１ａは、下ケースユニット１Ａの凸条１ｂの外側に嵌入される。この構造で連結されるケース１は、上ケースユニット１Ｂの周壁１ａの位置ずれを、下ケースユニット１Ａの凸条１ｂで阻止できる。このため、上ケースユニット１Ｂと下ケースユニット１Ａとは互いに位置ずれしないように連結される。
【００１８】
さらに、上ケースユニット１Ｂと下ケースユニット１Ａとをより確実に連結するために、下ケースユニット１Ａの凸条１ｂの外側に突出して係止爪２を成形している。係止爪２は凸条１ｂの上端で外側に突出している。上ケースユニット１Ｂは、係止爪２を係止する凹部である係止部３を周壁１ａの内側に設けている。係止爪２と係止部３とは、上ケースユニット１Ｂの周壁１ａに、下ケースユニット１Ａを嵌入する状態で、係止爪２が係止部３に係止される位置に配設されている。さらに、係止爪２と係止部３は、ケース１のプラグ連結部８を補強するために、プラグ連結部８の近傍に設けられている。
【００１９】
図に示す電気かみそりは、ケース１の底部の右部にプラグ連結部８を設けている。係止爪２と係止部３は、ケース１右側の周壁１ａの底部に設けられて、プラグ連結部８の近傍に配設される。
【００２０】
プラグ連結部８は、充電用の電源プラグ（図示せず）を脱着自在に連結するために、ケース１に設けられる。プラグ連結部８には、電源プラグに挿入される２本の電極端子９がある。２本の電極端子９は、絶縁板１０を介してケース１に装着される。ケース１のプラグ連結部８には電源プラグが挿入されて連結される。電源プラグを挿入するために、下ケースユニット１Ａと上ケースユニット１Ｂは、周壁１ａを内側に折曲して、電源プラグを挿入する嵌入凹部１１を設けている。下ケースユニット１Ａは、嵌入凹部１１に電極端子９を突出させるように絶縁板１０を装着するために、周壁１ａの背面に固定板１２を成形している。固定板１２と周壁１ａの間には、絶縁板１０を嵌入できる嵌入隙間１３を設けている。嵌入隙間１３に装着される絶縁板１０は、下ケースユニット１Ａと上ケースユニット１Ｂの周壁１ａに設けられた溝を通過して、電極端子９を嵌入凹部１１に突出させる。
【００２１】
上ケースユニット１Ｂと下ケースユニット１Ａは、係止爪２および係止部３に加えて、３本の止ネジ４で固定される。上ケースユニット１Ｂは、止ネジ４を貫通する貫通孔１４を設けている。下ケースユニット１Ａには、止ネジ４をねじ込むネジ孔１５を設けている。止ネジ４は、ケース１の上部両側の２ヶ所と、底部の１ヶ所を連結する。
【００２２】
ケース１には、ニッケル−カドミウム電池等のように、繰り返し充電して使用できる二次電池５を内蔵している。二次電池５は、ケース１に内蔵されるプリント基板１６に装着されている。二次電池５は、脱着接続端子１７を介して、脱着できるようにプリント基板１６に装着されている。プリント基板１６には、図示しないが、二次電池５を充電する充電回路を構成する部品が装着され、充電回路はリード線を介して電極端子９に接続されている。二次電池５は、スイッチを介してモーター６に接続されている。スイッチをオンにすると、モーター６が回転されて内刃が振動される。モーター６が内刃を往復運動させるために、モーター６は駆動機構７であるカムを介して往復運動台に連結され、往復運動台に内刃が連結される。
【００２３】
この構造の電気かみそりは、ケース１内に、プリント基板１６と、モーター６と、駆動機構７を内蔵して、下ケースユニット１Ａと上ケースユニット１Ｂとを連結する。下ケースユニット１Ａと上ケースユニット１Ｂとは、係止爪２と係止部３とで周壁１ａを連結した後、３本の止ネジ４をねじ込んで確実に連結する。この状態で連結されたケース１は、係止爪２と係止部３と３本の止ネジ４とで確実に連結される。
【００２４】
ケース１を開くときには、３本の止ネジ４を外す。止ネジ４を外すと、下ケースユニット１Ａと上ケースユニット１Ｂは、係止爪２と係止部３によって、ケース１の右側底部の一部のみが連結される。一部が連結されるケース１は、図において左側は連結されないので、ケース１の左側を簡単に開くことができる。ケース１の左側を開くと、係止爪２と係止部３の係止状態を解除して、上ケースユニット１Ｂを下ケースユニット１Ａから簡単に分離できる。電気かみそりを廃棄するときには、３本の止ネジ４を外してケース１を開き、内蔵する二次電池５を除去して廃棄処分できる。また、電気かみそりを修理するときも、３本の止ネジ４を外して、ケース１を簡単に開くことができる。
【００２５】
【発明の効果】
本発明の電気かみそりは下記の優れた特長がある。
▲１▼  二つのケースユニットを頑丈に位置ずれしないよう連結できると共に、廃棄するときは、簡単にケースを開いて二次電池を取り出して、公害の生じない状態にして処分できる優れた特長がある。それは、本発明の電気かみそりが、二つのケースユニットを連結している係止爪と係止部を、ケースの一端と他端間の中間より他端側の１ヶ所にのみ設けているからである。この構造の電気かみそりは、止ネジを外して極めて簡単にケースを開くことができる。ケースユニットの１ヶ所を係止爪と係止部で連結するケースは、止ネジを外すとケースの片側は連結されない。ケースの連結されない片側を開くと、係止爪と係止部とで連結される部分は、簡単に分離できる。このように、止ネジを外して、二つのケースユニットを簡単に分離できる電気かみそりは、専門業者に限らず、一般の消費者がケースを開いて二次電池を取り出し、廃棄公害とならない状態として廃棄できる特長がある。
【００２６】
▲２▼プラグ連結部の強度を低下させることなく、ケースを簡単に開くことができる。それは、本発明の電気かみそりが、ケースユニットを連結する係止爪と係止部とをケースの一端と他端間の中間より他端側に設けているので、係止爪と係止部が、ケースの他端に位置するプラグ連結部の近傍に位置することになるからである。このため、本発明の電気かみそりは、プラグを脱着するときに、ケースユニットが位置ずれすることがない。また、プラグ連結部を強靱な構造にできるので、プラグを脱着するときに、この部分が変形する欠点も防止できる。
【図面の簡単な説明】
【図１】従来の電気かみそりのケースユニットの一例を示す斜視図
【図２】本発明の実施例にかかる電気かみそりの分解斜視図
【符号の説明】
１…ケース      １Ａ…ケースユニット      １Ｂ…ケースユニット
１ａ…周壁      １ｂ…凸条                １ｃ…段差部
２…係止爪
３…係止部
４…止ネジ
５…二次電池
６…モーター
７…駆動機構
８…プラグ連結部
９…電極端子
１０…絶縁板
１１…嵌入凹部
１２…固定板
１３…嵌入隙間
１４…貫通孔
１５…ネジ孔
１６…プリント基板
１７…脱着接続端子
【図１】
0003540379.tif 000002
【図２】
0003540379.tif 000003